【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示し、表示結果としてあらかじめ定められた特定表示結果が導出表示されたときに遊技者にとって有利な特定遊技状態に制御する遊技機であって、
所定の動作を行う可動部材と、
遊技機への電力供給が停止しても所定期間記憶内容を保持可能であり、制御を行う際に発生する変動データを記憶する変動データ記憶手段と、
遊技機への電力供給が開始されたときに、所定条件の成立にもとづいて前記変動データ記憶手段の記憶内容を初期化する初期化処理を実行する初期化手段と、
前記初期化手段によって前記初期化処理が実行されたことにもとづいて、初期化報知を実行する初期化報知手段と、
遊技機への電力供給が開始されたことにもとづいて、前記可動部材の初期動作を実行する初期動作実行手段と、
遊技者による指示入力を検出する入力検出手段と、
遊技者の指示入力を促す第１促進演出を実行した後に、指示入力の検出により第１演出実行条件が成立したことにもとづいて、所定の第１演出を実行する一方、遊技者の指示入力を促す第２促進演出を実行した後に、指示入力の検出により第２演出実行条件が成立したことにもとづいて、所定の第２演出を実行する演出実行手段と、
前記第１促進演出と前記第２促進演出の双方を実行することが決定されたときに、所定の優先順位に従って、前記第１演出実行条件と前記第２演出実行条件のうちいずれか一方を成立可能に設定する実行条件設定手段とを備え、
前記初期化報知手段は、前記初期化報知の実行中に識別情報の可変表示が開始されるときには、当該識別情報の可変表示とともに前記初期化報知を実行し、
前記初期動作実行手段は、
前記初期化報知手段による前記初期化報知の実行を終了した後に、前記可動部材の初期動作を実行し、
前記可動部材の初期動作を開始するにあたって識別情報の可変表示が実行されているときには、当該識別情報の可変表示とともに前記可動部材の初期動作を実行する、
ことを特徴とする遊技機。
【請求項２】
各々を識別可能な複数種類の識別情報の可変表示を行い表示結果を導出表示し、表示結果としてあらかじめ定められた特定表示結果が導出表示されたときに遊技者にとって有利な特定遊技状態に制御する遊技機であって、
所定の動作を行う可動部材と、
遊技機への電力供給が停止しても所定期間記憶内容を保持可能であり、制御を行う際に発生する変動データを記憶する変動データ記憶手段と、
遊技機への電力供給が開始されたときに、所定条件の成立にもとづいて前記変動データ記憶手段の記憶内容を初期化する初期化処理を実行する初期化手段と、
前記初期化手段によって前記初期化処理が実行されたことにもとづいて、初期化報知を実行する初期化報知手段と、
遊技機への電力供給が開始されたことにもとづいて、前記可動部材の初期動作を実行する初期動作実行手段と、
遊技者による指示入力を検出する入力検出手段と、
遊技者の指示入力を促す第１促進演出を実行した後に、指示入力の検出により第１演出実行条件が成立したことにもとづいて、所定の第１演出を実行する一方、遊技者の指示入力を促す第２促進演出を実行した後に、指示入力の検出により第２演出実行条件が成立したことにもとづいて、所定の第２演出を実行する演出実行手段と、
前記第１促進演出と前記第２促進演出の双方を実行することが決定されたときに、所定の優先順位に従って、前記第１演出実行条件と前記第２演出実行条件のうちいずれか一方を成立可能に設定する実行条件設定手段とを備え、
前記初期動作実行手段は、
前記初期化報知手段による前記初期化報知の実行を終了した後に、前記可動部材の初期動作を実行し、
前記可動部材の初期動作を開始するにあたって識別情報の可変表示が実行されているときには、前記可動部材の初期動作の実行を制限する、
ことを特徴とする遊技機。
【手続補正２】
【補正対象書類名】明細書
【補正対象項目名】００１０
【補正方法】変更
【補正の内容】
【００１０】
（１）上記目的を達成するため、本発明による遊技機は、各々を識別可能な複数種類の識別情報（例えば、演出図柄）の可変表示を行い表示結果を導出表示し、表示結果としてあらかじめ定められた特定表示結果（例えば、大当り図柄）が導出表示されたときに遊技者にとって有利な特定遊技状態（例えば、大当り遊技状態）に制御する遊技機であって、所定の動作を行う可動部材（例えば、第２の実施の形態における可動部材７８や演出羽根役物７９ａ，７９ｂなどの役物）と、遊技機への電力供給が停止しても所定期間記憶内容を保持可能であり、制御を行う際に発生する変動データを記憶する変動データ記憶手段（例えば、バックアップＲＡＭとしてのＲＡＭ５５）と、遊技機への電力供給が開始されたときに、所定条件の成立（例えば、クリアスイッチのオン）にもとづいて変動データ記憶手段の記憶内容を初期化する初期化処理を実行する初期化手段（例えば、遊技制御用マイクロコンピュータ５６０におけるステップＳ１０を実行する部分）と、初期化手段によって初期化処理が実行されたことにもとづいて、初期化報知を実行する初期化報知手段（例えば、第２の実施の形態において、演出制御用マイクロコンピュータ１００におけるステップＳ３１０１〜Ｓ３１１１を実行する部分）と、遊技機への電力供給が開始されたことにもとづいて、可動部材の初期動作を実行する初期動作実行手段（例えば、第２の実施の形態において、演出制御用マイクロコンピュータ１００におけるステップＳ７０８を実行する部分）と、遊技者による指示入力を検出する入力検出手段（例えば、プッシュボタン１２０）と、遊技者の指示入力を促す第１促進演出（例えば、ボタン保留表示）を実行した後に、指示入力の検出により第１演出実行条件（例えば、操作ボタン１２０の継続押圧２秒）が成立したことにもとづいて、所定の第１演出（例えば、ボタン保留表示を特殊保留表示に変更）を実行する一方、遊技者の指示入力を促す第２促進演出（例えば、操作促進表示）を実行した後に、指示入力の検出により第２演出実行条件（例えば、操作ボタン１２０の連打１０回）が成立したことにもとづいて、所定の第２演出（例えば、操作促進表示を特殊表示に変更）を実行する演出実行手段（例えば、演出制御用マイクロコンピュータ１００におけるステップＳ５０４，Ｓ５１４，Ｓ６０６を実行する部分）と、第１促進演出と第２促進演出の双方を実行することが決定されたときに、所定の優先順位に従って、第１演出実行条件と第２演出実行条件のうちいずれか一方を成立可能に設定する実行条件設定手段（例えば、演出制御用マイクロコンピュータ１００においてステップＳ５０５，Ｓ５０６，Ｓ５１７，Ｓ５３３を実行する部分）とを備え、初期化報知手段は、初期化報知の実行中に識別情報の可変表示が開始されるときには、当該識別情報の可変表示とともに初期化報知を実行し（例えば、第２の実施の形態において、演出制御用マイクロコンピュータ１００は、ステップＳ８２６１，Ｓ８４８１でＹのときステップＳ８２６２，Ｓ８４８２を実行することにより、演出図柄の変動表示を実行する場合であっても初期化報知のランプ表示および音出力を継続する）、初期動作実行手段は、初期化報知手段による初期化報知の実行を終了した後に、可動部材の初期動作を実行し（例えば、第２の実施の形態において、演出制御用マイクロコンピュータ１００は、ステップＳ３５０２でＹと判定したことを条件にステップＳ３５０３以降の処理に移行して役物の初期動作を実行する）、可動部材の初期動作を開始するにあたって識別情報の可変表示が実行されているときには、当該識別情報の可変表示とともに可動部材の初期動作を実行する（例えば、第２の実施の形態において、演出制御用マイクロコンピュータ１００は、役物初期動作処理においてステップＳ３５０３でＮのとき演出図柄の変動表示中であるか否かにかかわらずステップＳ３５０４以降の処理に移行して役物の初期動作を開始する）ことを特徴とする。そのような構成により、初期化処理が実行されたときに初期化報知と可動部材の初期動作とにかかる電力消費を分散することができる。また、識別情報の可変表示が実行される場合であっても初期化報知や可動部材の初期動作を実行することができる。
【手続補正３】
【補正対象書類名】明細書
【補正対象項目名】００１１
【補正方法】変更
【補正の内容】
【００１１】
（２）本発明による遊技機の他の態様は、各々を識別可能な複数種類の識別情報（例えば、演出図柄）の可変表示を行い表示結果を導出表示し、表示結果としてあらかじめ定められた特定表示結果（例えば、大当り図柄）が導出表示されたときに遊技者にとって有利な特定遊技状態（例えば、大当り遊技状態）に制御する遊技機であって、所定の動作を行う可動部材（例えば、第２の実施の形態および第３の実施の形態における可動部材７８や演出羽根役物７９ａ，７９ｂなどの役物）と、遊技機への電力供給が停止しても所定期間記憶内容を保持可能であり、制御を行う際に発生する変動データを記憶する変動データ記憶手段（例えば、バックアップＲＡＭとしてのＲＡＭ５５）と、遊技機への電力供給が開始されたときに、所定条件の成立（例えば、クリアスイッチのオン）にもとづいて変動データ記憶手段の記憶内容を初期化する初期化処理を実行する初期化手段（例えば、遊技制御用マイクロコンピュータ５６０におけるステップＳ１０を実行する部分）と、初期化手段によって初期化処理が実行されたことにもとづいて、初期化報知を実行する初期化報知手段（例えば、第２の実施の形態および第３の実施の形態において、演出制御用マイクロコンピュータ１００におけるステップＳ３１０１〜Ｓ３１１１を実行する部分）と、遊技機への電力供給が開始されたことにもとづいて、可動部材の初期動作を実行する初期動作実行手段（例えば、第２の実施の形態および第３の実施の形態において、演出制御用マイクロコンピュータ１００におけるステップＳ７０８を実行する部分）と、遊技者による指示入力を検出する入力検出手段（例えば、プッシュボタン１２０）と、遊技者の指示入力を促す第１促進演出（例えば、ボタン保留表示）を実行した後に、指示入力の検出により第１演出実行条件（例えば、操作ボタン１２０の継続押圧２秒）が成立したことにもとづいて、所定の第１演出（例えば、ボタン保留表示を特殊保留表示に変更）を実行する一方、遊技者の指示入力を促す第２促進演出（例えば、操作促進表示）を実行した後に、指示入力の検出により第２演出実行条件（例えば、操作ボタン１２０の連打１０回）が成立したことにもとづいて、所定の第２演出（例えば、操作促進表示を特殊表示に変更）を実行する演出実行手段（例えば、演出制御用マイクロコンピュータ１００におけるステップＳ５０４，Ｓ５１４，Ｓ６０６を実行する部分）と、第１促進演出と第２促進演出の双方を実行することが決定されたときに、所定の優先順位に従って、第１演出実行条件と第２演出実行条件のうちいずれか一方を成立可能に設定する実行条件設定手段（例えば、演出制御用マイクロコンピュータ１００においてステップＳ５０５，Ｓ５０６，Ｓ５１７，Ｓ５３３を実行する部分）とを備え、初期動作実行手段は、初期化報知手段による初期化報知の実行を終了した後に、可動部材の初期動作を実行し（例えば、第２の実施の形態および第３の実施の形態において、演出制御用マイクロコンピュータ１００は、ステップＳ３５０２でＹと判定したことを条件にステップＳ３５０３以降の処理に移行して役物の初期動作を実行する）、可動部材の初期動作を開始するにあたって識別情報の可変表示が実行されているときには、可動部材の初期動作の実行を制限する（例えば、第３の実施の形態において、演出制御用マイクロコンピュータ１００は、役物初期動作処理においてステップＳ３５０３ＡでＹのときステップＳ３５０４以降の処理に移行せず、役物の初期動作を開始しない）ことを特徴とする。そのような構成により、初期化処理が実行されたときに初期化報知と可動部材の初期動作とにかかる電力消費を分散することができる。また、識別情報の可変表示が実行される場合であっても可動部材の初期動作を実行することができる。